(57)【要約】【課題】  開閉蓋を押し込んだ場合でも、開閉蓋によって指が挟まれることがない物品取出口の構造を提供する。【解決手段】  筐体１２の物品取出口（コイン返却口３８）に設けられて筐体１２内の物品（コイン）を受け入れ可能に形成された物品受入部（コイン返却ボックス４０）と、  前記物品取出口（コイン返却口３８）を閉塞可能に物品受入部（コイン返却ボックス４０）の上部側にその支持軸５２を回転可能に軸支させ、下部側を物品受入部（コイン返却ボックス４０）内に回転可能にされた開閉蓋４２とを有する。  物品受入部（コイン返却ボックス４０）の上部に、開閉蓋４２の支持軸５２を上方に案内して開閉蓋４２を上方にスライド移動可能にするスライドガイド部５４を形成した。【選択図】        図３
2007011766.tif 000002
【特許請求の範囲】
【請求項１】
筐体から物品を取り出すための開口部と、
前記開口部の上部に回転可能に軸支され、前記開口部を開閉する開閉蓋とを有する物品取出口の構造において、
前記開口部の上部に、前記開閉蓋の支持軸を上方に案内して、前記開閉蓋を上方にスライド移動可能にするスライドガイド部を形成したことを特徴とする物品取出口の構造。
【請求項２】
筐体の物品取出口に設けられて前記筐体内の物品を受け入れ可能に形成された物品受入部と、
前記物品取出口を閉塞可能に前記物品受入部の上部側にその支持軸を回転可能に軸支させ、下部側を前記物品受入部内に回転可能にされた開閉蓋とを有する物品取出口の構造において、
前記物品受入部の上部に、前記開閉蓋の支持軸を上方に案内して前記開閉蓋を上方にスライド移動可能にするスライドガイド部を形成したことを特徴とする物品取出口の構造。
【請求項３】
請求項１または２において、
前記スライドガイド部は、下部側の奥行きが広く、上部側の奥行きが狭く形成されていることを特徴とする物品取出口の構造。
【請求項４】
請求項１〜３のいずれかにおいて、
前記スライドガイド部には、前記開閉蓋の上端と当接して前記開閉蓋のスライド上限位置を規制する上限規制部が設けられていることを特徴とする物品取出口の構造。
【請求項５】
請求項２〜４のいずれかにおいて、
前記物品受入部の内側壁には、前記開閉蓋を物品受入部内へ回転させた際の回転位置を規制する回転規制部が設けられていることを特徴とする物品取出口の構造。
【発明の詳細な説明】
【技術分野】
【０００１】
本発明は、開閉蓋を取出口の奥側に回動させて物品を取り出す物品取出口の構造に関する。
【背景技術】
【０００２】
物品取出口の構造として、例えばコイン返却口の構造がある。
【０００３】
このコイン返却口の構造は、コイン返却ボックスを筐体のコイン返却口背面側に取り付け、筐体のコイン返却口の上辺近傍に開閉蓋を回動可能に取り付け、この開閉蓋の下端側をコイン返却ボックス内の奥側へと回動させてコイン返却ボックス内のコインを取り出すようにしている（特許文献１参照）。
【特許文献１】実開昭５８−１０５６７６号公報
【発明の開示】
【発明が解決しようとする課題】
【０００４】
このようなコイン返却口の構造にあっては、開閉蓋が筐体のコイン返却口の上辺近傍に回動自在に取り付けられており、下端側がコイン返却ボックスの奥側に回動する状態となっているため、開閉蓋を奥に押し込んでコイン返却ボックス内のコインを取ろうとする際に指を押し込みすぎると開閉蓋の下辺部とコイン返却ボックスの底部との間に指が挟まれてしまうような事態が生じうるものである。
【０００５】
本発明の目的は、開閉蓋を押し込んだ場合でも、開閉蓋によって指が挟まれることがない物品取出口の構造を提供することにある。
【課題を解決するための手段】
【０００６】
前記目的を達成するため、本発明の物品取出口の構造は、筐体から物品を取り出すための開口部と、
前記開口部の上部に回転可能に軸支され、前記開口部を開閉する開閉蓋とを有する物品取出口の構造において、
前記開口部の上部に、前記開閉蓋の支持軸を上方に案内して、前記開閉蓋を上方にスライド移動可能にするスライドガイド部を形成したことを特徴とする。
【０００７】
本発明によれば、開閉蓋の支持軸を開口部の上部に軸支させ開閉蓋を回転可能にすると共に、開口部の上部に開閉蓋の支持軸を上方に案内して開閉蓋を上方にスライド可能にするスライドガイド部を形成したため、通常の取出動作時においては、開閉蓋を押し込んで回転させて物品を取り出すことができ、しかも、指や手を差し込みすぎた場合でも、指や手を手前に引き抜けば開閉蓋の支持軸がスライドガイド部に沿って上方にスライド移動して開閉蓋が上方に引っ込む状態となり、手や指が開閉蓋によって挟まれるような事態を確実に防止することができる。
【０００８】
本発明の他の物品取出口の構造は、筐体の物品取出口に設けられて前記筐体内の物品を受け入れ可能に形成された物品受入部と、
前記物品取出口を閉塞可能に前記物品受入部の上部側にその支持軸を回転可能に軸支させ、下部側を前記物品受入部内に回転可能にされた開閉蓋とを有する物品取出口の構造において、
前記物品受入部の上部に、前記開閉蓋の支持軸を上方に案内して前記開閉蓋を上方にスライド移動可能にするスライドガイド部を形成したことを特徴とする。
【０００９】
本発明によれば、開閉蓋の上端部の支持軸を物品受入部の上部側に軸支させて下部側を物品受入部内に回転可能にするとともに、物品受入部の前面上部に開閉蓋の支持軸を上方に案内して開閉蓋を上方にスライド移動可能にするスライドガイド部を形成したため、通常の取出動作時においては、開閉蓋を物品受入部内に押し込んで回転させて物品を取り出すことができ、しかも、物品受入部内に指や手を差し込みすぎた場合でも、指や手を手前に引き抜けば開閉蓋の支持軸がスライドガイド部に沿って上方にスライド移動して開閉蓋が上方に引っ込む状態となり、手や指が開閉蓋によって挟まれるような事態を確実に防止することができる。
【００１０】
本発明においては、前記スライドガイド部は、下部側の奥行きを広く、上部側の奥行きを狭く形成することができる。
【００１１】
このような構成とすることにより、開閉蓋を物品受入部内に回転させて押し込んだ状態からスライドガイド部に沿って上方にスライド移動させる際の移行状態を良好なものとすることができる。
【００１２】
本発明においては、前記スライドガイド部には、前記開閉蓋の上端と当接して前記開閉蓋のスライド上限位置を規制する上限規制部を設けた状態とすることができる。
【００１３】
このような構成とすることにより、スライドガイド部の上限規制部によって開閉蓋の上限位置を規制することで、開閉蓋が上方に移動しすぎて下降しなくなるような状態を防止することができる。
【００１４】
本発明においては、物品受入部を有する場合、前記物品受入部の内側壁には、前記開閉蓋を物品受入部内へ回転させた際の回転位置を規制する回転規制部を設けるようにすることができる。
【００１５】
このような構成とすることにより、物品受入部の内側壁に設けた回転規制部によって開閉蓋の回転位置を規制することで、開閉蓋が回転しすぎることがなく、手や指が物品受入部内に入りすぎることなく、手や指が開閉蓋によって挟まれにくい状態とすることができる。
【発明を実施するための最良の形態】
【００１６】
以下、本発明の実施の形態について、図面を参照して詳細に説明する。
【００１７】
図１〜図５は、本発明の物品取出口の構造の一実施の形態であるコイン返却口の構造を用いた景品獲得ゲーム装置を示す図である。
【００１８】
図１は、本実施の形態に係る景品獲得ゲーム装置の全体概略斜視図であり、この景品獲得ゲーム装置１０は、筐体１２の上面に透明なプラスチックからなるディスプレイドーム１４が設けられ、このディスプレイドーム１４内には多数の景品１６が載置されたターンテーブル１８が一定方向に一定速度で回転する状態で設けられている。
【００１９】
また、ディスプレイドーム１４内には、ターンテーブル１８上の景品１６を掬い上げるためのショベル２０がアーム２２によってターンテーブル１８側の掬い上げ位置と掬い上げた景品１６を落下させる景品落下位置との間を移動可能に設けられるとともに、景品落下位置の下方には複数の景品１６が載せられる台である固定テーブル２４が設けられている。
【００２０】
固定テーブル２４の一端側の下方には、筐体１２の外周部に設けられた景品取り出し口２６に連通された払出口２８が設けられ、固定テーブル２４の他端側（ディスプレイドーム１４の中心側）には、固定テーブル２４上を矢印Ａ方向に往復移動するスライドテーブル３０が設けられている。
【００２１】
また、筐体１２には、操作部３２が設けられ、この操作部３２には所定のコインを投入するコイン投入部３４やショベル２０を作動する２個の作動ボタン３６ａ、３６ｂが設けられている。
【００２２】
そして、プレーヤがコイン投入部３４よりコインを投入し、作動ボタン３６ａ、３６ｂを操作してショベル２０によりターンテーブル１８上の景品１６を掬い上げ、掬い上げた景品１６を固定テーブル２４上に落下させると、固定テーブル２４上の景品がスライドテーブル３０の移動によって払出口２８側に押し出されて落下することで景品１６が獲得できるようになっている。
【００２３】
なお、この景品獲得ゲーム装置１０には、４箇所の操作部３２と、それに所属するショベル２０等がターンテーブル１８の周りに設けられ、４人同時にプレーすることができるようになっている。
【００２４】
また、各操作部３２の下部側筐体１２には、コイン投入部３４より投入したコインを返却する物品取出口（開口部）としてのコイン返却口３８が設けられている。
【００２５】
このコイン返却口３８には、図２〜図４に示すように、物品受入部としてのコイン返却ボックス４０と、開閉蓋４２とが設けられている。
【００２６】
コイン返却ボックス４０は、筐体１２のコイン返却口３８の背面側に取り付けられて筐体１２内からのコインＣを収納可能にされたもので、上面に返却されるコインＣが投入されるコイン投入口４４が形成されると共に、前面にコイン返却口３８と略対応した大きさの前面口４６が形成されている。
【００２７】
また、コイン返却ボックス４０の前面両側部には、筐体１２への取付片４８が側方に突出して形成されている。
【００２８】
さらに、コイン返却ボックス４０の前面口４６の両側上部には、開閉蓋４２を回転可能に軸支する回転支持部５０が形成されている。
【００２９】
開閉蓋４２は、コイン返却口３８と略同程度の大きさでコイン返却口３８を閉塞可能にするもので、上端部両側に支持軸５２を側方に突出した状態で形成されている。
【００３０】
そして、この支持軸５２をコイン返却ボックス３８の回転支持部５０上に載置支持させることで、開閉蓋４２を上端部の支持軸５２を中心に下部側をコイン返却ボックス４０内の奥側へと回転可能にされている。
【００３１】
また、コイン返却ボックス４０の前面上部には、開閉蓋４２の上端部を上方に案内して開閉蓋４２を上方にスライド移動させるスライドガイド部５４が形成されている。
【００３２】
このスライドガイド部５４は、コイン返却ボックス４０の前面上部から上方に逆Ｌ字上に突出した状態とされ、筐体１２の背面との間に開閉蓋４２をスライド移動させるための間隙５６が形成された状態となっている。
【００３３】
このように、開閉蓋４２を上方にスライド移動させるスライドガイド部５４を形成することにより、図３に示すように、コイン返却ボックス４０内に指５８を差し込みすぎた場合でも、指５８を手前に引き抜けば開閉蓋４２の上端部がスライドガイド部５４に沿って上方にスライド移動して開閉蓋４２が上方に引っ込む状態となり、指５８が開閉蓋５４によって挟まれるような事態を確実に防止することができる。
【００３４】
また、このスライドガイド部５４の間隙５６は、図２に示すように下部側の奥行きＤ１が広く、上部側の奥行きＤ２が狭くなるように、上方に向けて徐々に狭くなるようになっている。
【００３５】
このようにすることにより、開閉蓋４２をコイン返却ボックス４０内に回転させて押し込んだ状態から、スライドガイド部５４に沿って上方にスライド移動させる際の開閉蓋４２の移行状態を良好なものとしている。
【００３６】
さらに、スライドガイド部５４の上端には、開閉蓋４２を上方にスライド移動させた際に、開閉蓋４２の上端と当接して開閉蓋４２のスライド上限位置を規制する上限規制部６０が設けられている。
【００３７】
このように、スライドガイド部５４の上限規制部６０によって開閉蓋４２の上限位置を規制することで、開閉蓋４２が上方に移動しすぎて下降しなくなるような状態を防止するようにしている。
【００３８】
さらに、本実施の形態においては、コイン返却ボックス４０の内側壁に、開閉蓋４２をコイン返却ボックス４０内の奥側へ回転させた際の開閉蓋４２の回転位置を規制する回転規制部６２を設けている。
【００３９】
このように、コイン返却ボックス４０の内側壁に設けた回転規制部６２によって開閉蓋４２の回転位置を規制することで、開閉蓋４２が回転しすぎないようにし、開閉蓋４２によって指が挟まれにくくなるようにしている。
【００４０】
次に、この開閉蓋４２の動作状態について、図５の半断面図を参照して説明する。
【００４１】
まず、図５（Ａ）に示す状態では、開閉蓋４２の支持軸５２がコイン返却ボックス４０の回転支持部５０上に載置支持され、開閉蓋４２が自重で垂下して前面口４６（コイン返却口３８）を閉塞した状態となっている。
【００４２】
この状態で、コインＣがコイン投入口４４よりコイン返却ボックス４０内に落下して供給され、コイン返却ボックス４０内で転動したとしても、コインＣは開閉蓋４２にぶつかって前面口４６より外に飛び出すことがなく、確実にコイン返却ボックス４０内に収納されることとなる。
【００４３】
この状態から、図５（Ｂ）に示すように、開閉蓋４２をコイン返却ボックス４０内の奥側へ押し込むと、開閉蓋４２は支持軸５２がコイン返却ボックス４０の回転支持部５０上に載置支持された状態のまま、支持軸５２を回転中心として下部側が奥側に回転して前面口４６が開放される。
【００４４】
この場合、開閉蓋４２の奥側への回転位置は回転規制部６２によって規制されるため、通常の状態では、指が開閉蓋４２に挟まれるようなことがなく、通常のコインＣの取り出し動作が行えることとなる。
【００４５】
次に、通常の取り出し動作よりもコイン返却ボックス４０内の奥側に指を差し込んだ場合、図５（Ｃ）に示すように、開閉蓋４２によって指が挟まれやすい状態となるが、そのまま指を手前に引き抜くと、図中矢印で示すように、開閉蓋４２の上端部がスライドガイド部５４に沿って上方にスライド移動し、開閉蓋４２によって指が挟まれることなく引き抜くことができる。
【００４６】
この場合、スライドガイド部５４の間隙５６は、下部側の奥行きＤ１が広く、上部側の奥行きＤ２が狭くなっているので、開閉蓋４２を押し込んだ状態から、上方にスライド移動させる際の開閉蓋４２の移行が良好な状態で行われることとなる。
【００４７】
また、開閉蓋４２を上方にスライド移動させた際に、開閉蓋４２の上端が上限規制部６０によって上限位置が規制されるので、開閉蓋４２が上方に移動しすぎることがなく、指を抜いた後は確実に開閉蓋４２が下降して前面口４６を閉じることとなる。
【００４８】
本発明は、前記実施の形態に限定されるものではなく、本発明の要旨の範囲内において種々の形態に変形可能である。
【００４９】
例えば、前記実施の形態では、物品取出口の一例として、コイン返却ボックスを有するコイン返却口を示したが、この例に限らず、景品受入部を有する景品取出口やその他の物品取出口に適用することも可能である。
【００５０】
また、前記実施の形態では、物品受入部としてコイン返却ボックスを有し、このコイン返却ボックスにスライドガイド部を形成した場合について説明したが、この例に限らず、コイン返却口（開口部）の上部に直接スライドガイド部を形成するようにしても良い。
【図面の簡単な説明】
【００５１】
【図１】本発明の物品取出口の構造の一実施の形態であるコイン返却口の構造を用いた景品獲得ゲーム装置の全体概略斜視図である。
【図２】図１のコイン返却口の開閉蓋部分の部分拡大断面図である。
【図３】図２の状態から開閉蓋を上方にスライド移動させる状態を示す部分拡大断面図である。
【図４】図１及び図２のコイン返却ボックス及び開閉蓋を示す分解斜視図である。
【図５】開閉蓋の動作状態を示すもので、（Ａ）は閉塞状態の半断面図、（Ｂ）は通常の回転取出状態の半断面図、（Ｃ）は上方へスライド移動させる状態の半断面図である。
【符号の説明】
【００５２】
３８  コイン返却口（開口部）
４０  コイン返却ボックス
４２  開閉蓋
４６  前面口
５０  回転支持部
５２  支持軸
５４  スライドガイド部
５６  間隙
６０  上限規制部
６２  回転規制部
Ｄ１  下部側の奥行き
Ｄ２  上部側の奥行き
Ｃ  コイン
【図１】
2007011766.tif 000003
【図２】
2007011766.tif 000004
【図３】
2007011766.tif 000005
【図４】
2007011766.tif 000006
【図５】
2007011766.tif 000007